【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
サンプル入口と、
前記サンプル入口と流体連通している流体チャネルであって、前記流体チャネルは少なくとも１ｃｍの長さであり、少なくとも５：１のチャネルの長さ：幅の比を有する流体チャネルと、
前記流体チャネルと流体連通しており、且つ選択的に真核細胞を溶解させる１つ以上の試薬を含む第１の溶解領域と、
第１の溶解領域と流体連通している第１の単離領域と、
前記第１の単離領域と流体連通しており、且つ微生物細胞を溶解させる１つ以上の試薬を含む第２の溶解領域と、
前記第２の溶解領域と流体連通している第２の単離領域と、
前記第２の単離領域と流体連通している少なくとも１つの反応領域と、
前記反応領域の少なくとも１つと流体連通している増幅領域と、
を含む流体デバイス。
【請求項２】
少なくとも０．１ｍＬの容量を有する、流体リザーバと、
前記流体リザーバと流体連通し、且つ少なくとも０．１ｍＬの容量を有する、気体チャンバと、
前記流体リザーバ及び／又は前記気体チャンバと流体連通し、且つ１０００μＬ未満の容量を有する、流体チャネルと、を含み、
少なくとも１つの流体リザーバの長軸は、少なくとも１つの流体チャネルの長軸とは実質的に垂直であり且つ異なる面にある、請求項１に記載の流体デバイス。
【請求項３】
前記流体リザーバは、少なくとも１ｃｍの高さであり、少なくとも１ｍLの容量を有し、且つ前記流体リザーバ内の流体の混合を容易にするように、前記流体リザーバ内への気体の通過を可能にし、前記気体は出口を介して前記流体リザーバを出る、請求項２に記載の流体デバイス。
【請求項４】
少なくとも１ｃｍの長さであり、少なくとも５：１のチャネルの長さ：幅の比を有するハブチャネルを含む流体ハブと、
前記流体ハブから分岐している少なくとも１０個の分岐チャネルと、
各バルブが前記分岐チャネルと前記流体ハブとの間に配置されている、複数のバルブと、
各流体リザーバが分岐チャネルと接続している、複数の流体リザーバと、を含む請求項１〜３のいずれか１つに記載の流体デバイス。
【請求項５】
少なくとも１ｃｍの長さであり、少なくとも５：１のチャネルの長さ：幅の比を有するハブチャネルを含む流体ハブと、
前記流体ハブから分岐している第１の分岐チャネルと、
前記第１の分岐チャネルと流体連通している第１の流体リザーバと、
前記流体ハブから分岐している第２の分岐チャネルと、
前記第２の分岐チャネルと流体連通している第２の流体リザーバと、を含む請求項１〜４のいずれか１つに記載の流体デバイス。
【請求項６】
少なくとも１ｃｍの長さであり、少なくとも５：１のチャネルの長さ：幅の比を有するハブチャネルを含む流体ハブと、前記ハブと流体連通している気体チャンバと、を含む請求項１〜５のいずれか１つに記載の流体デバイス。
【請求項７】
チャネルと、
前記チャネルと結合し、且つ可逆的に開閉可能な第１のバルブと、
可逆的に開閉可能な第２のバルブと、
前記流体リザーバに隣接したカバーであって、前記カバーは前記流体リザーバを包囲し、前記カバーは半透膜であり、前記半透膜は疎水性で、１ｐｓｉで０．４ｓｌｐｍ以上５ｓｌｐｍ以下の空気透過性を有する、カバーとを含む混合システムを含んでおり、
前記混合システムは、前記流体が前記第１のバルブから前記第２のバルブまでの第１の方向に流れること、および前記第２のバルブから前記第１のバルブまでの、前記第１の方向とは異なる第２の方向に流れること、を可能にすることによって流体の混合を容易にする、請求項１〜６のいずれか１つに記載の流体デバイス。
【請求項８】
前記流体デバイスは、複数の二重鎖ＤＮＡ侵入人工拡散（ＤＩＡＮＡｓ）を含み、各ＤＩＡＮＡは、特定の微生物有機体または微生物有機体群に由来する１つ以上のアンプリコンを標的とする、請求項１〜７のいずれか１つに記載の流体デバイス。
【請求項９】
前記ＤＩＡＮＡは、ペプチド核酸、ロックド核酸または架橋型核酸を含む、請求項８に記載の流体デバイス。
【請求項１０】
前記ＤＩＡＮＡは、主鎖のγ位にキラル立体中心を有するペプチド核酸オリゴマーを含む、請求項９に記載の流体デバイス。
【請求項１１】
１つ以上のクラウディング剤と、１つ以上のＤＮＡ変性剤と、１つ以上の一価塩と、及び／又は１つ以上の界面活性剤とを含む侵入緩衝液を含んでいる、請求項１〜１０のいずれか１つに記載の流体デバイス。
【請求項１２】
クラウディング剤を含む侵入緩衝液を含んでおり、前記クラウディング剤は、ポリエチレングリコール、デキストラン、ポリビニルアルコール、フィコール、グリセロール、グルコース、及び／又はスクロースを含む、請求項１〜１１のいずれか１つに記載の流体デバイス。
【請求項１３】
ＤＮＡ変性剤を含む侵入緩衝液を含んでおり、前記ＤＮＡ変性剤は、ＤＭＳＯ、ホルムアミド、又はベタインを含む、請求項１〜１２のいずれか１つに記載の流体デバイス。
【請求項１４】
複数のビーズ及び／又は粒子を含む、請求項１〜１３のいずれか１つに記載の流体デバイス。
【請求項１５】
前記第１の単離領域は、固体支持基材に結合されたアニオン交換樹脂を含む請求項１〜１４のいずれか１つに記載の流体デバイス。
【請求項１６】
前記アニオン交換樹脂は、第３級アミン官能基及び／又は第４級アミン官能基を含む請求項１５に記載の流体デバイス。
【請求項１７】
ＰＨ６〜９の洗浄溶液を含む請求項１〜１６のいずれか１つに記載の流体デバイス。
【請求項１８】
真核細胞および微生物細胞の両方を含むサンプルを、流体デバイスのサンプル入口に導入する工程と、
前記サンプルを、前記サンプル入口と流体連通している流体チャネルを通して、第１の溶解領域に流す工程と、
前記第１の溶解領域内の前記サンプルから、前記微生物細胞を溶解させないが、前記真核細胞を選択的に溶解させる工程と、
前記第１の溶解領域と流体連通している第１の単離領域内の、溶解した前記真核細胞から真核ゲノム材料を除去する工程と、
第１の単離領域と流体連通している第２の溶解領域内の前記微生物細胞を溶解させる工程と、
第１の単離領域と流体連通している第２の単離領域内の、溶解した前記微生物細胞から微生物ゲノム材料を単離する工程と、
増幅領域内で前記微生物ゲノム材料を増幅する工程と、を含む方法。
【請求項１９】
増幅した前記ゲノム材料を複数の二重鎖ＤＮＡ侵入人工拡散（ＤＩＡＮＡｓ）に接触させる工程であって、各ＤＩＡＮＡは、特定の微生物有機体または微生物有機体群に由来する１つ以上のアンプリコンを標的とする、接触させる工程を含む、請求項１８に記載の方法。
【請求項２０】
１つ以上のＤＩＡＮＡｓとそれらの標的アンプリコンとの結合を検出する工程であって、前記結合の検出は、前記サンプル内の１つ以上の特定の微生物種の存在を示す、検出する工程を含む、請求項１９に記載の方法。
【手続補正２】
【補正対象書類名】明細書
【補正対象項目名】０３２７
【補正方法】変更
【補正の内容】
【０３２７】
例えば、１つ以上の物品、構造物、力、フィールド、流れ、方向／軌道、及び／又はそれらのサブコンポーネント、及び／それらの組み合わせ、及び／又はそのような用語により特徴づけが可能な上記に列挙されていないその他の有形又は無形の要素の、又はそれらの間の、形状、向き、配列、及び／又は幾何学的関係に関連する、本明細書で使用される任意の用語は、定義又は示唆がなければ、その用語の数学的定義に絶対的な適合を要求するものではなく、むしろ、その主題に最も密接に関連する当業者によって理解されるように特徴付けられた主題について可能な範囲で、その用語の数学的定義への適合を示唆するものと理解されるべきである。形状、向き、及び／又は幾何学的関係に関連するそのような用語の例には、以下に記載する用語に限定されないが、円形、正方形、円形状／円形、長方形状／長方形、三角形状／三角形、円筒状／円筒、楕円状／楕円形、（ｎ）多角形状／（ｎ）多角形などの形状；垂直、直交、平行、垂直、水平、共線などの角度方向；平面／平面状、同一平面、半球、準半球、直線／直線状、双曲線、放物線、平面、曲面、直線、弓形、正弦曲線、接線／接線状などの等高線及び／又は軌道；北、南、東、西などの方向；滑らかな、反射性の、透過性の、透明の、不透明の、固い、不浸透性の、均一な（に）、不活性な、非湿潤の、不溶な、安定な、不変の、一定の、均質な、などの表面及び／又はバルク材料特性及び／又は空間的な／時間的な分解及び／又は分布；関連技術分野の当業者には明らかであろう多くの他のものが含まれる。一例として、本明細書において「正方形」であると記載される加工品は、完全に平面又は直線であり、正確に９０度の角度で交差する面又は側面を有するような物品を必要とせず（実際、そのような物品は数学的概念としてしか存在し得ない）、むしろ、そのような物品の形状は、当業者に理解されるように、又は特に記載されるように、記載された製造技術のために典型的に達成可能で達成される程度に、数学的に定義される「正方形」に近似するものとして解釈されるべきである。別の例として、本明細書で「整列」されていると記載される２つ以上の加工品は、完全に整列された面、又は辺を有するような物品を必要とせず（実際、そのような物品は数学的概念としてしか存在し得ない）、むしろ、そのような物品の配列は、当業者に理解されるように、又は特に記載されるように、記載された製造技術のために典型的に達成可能で達成される程度に、数学的に定義される「整列」に近似するものとして解釈されるべきである。
本明細書の開示内容は、以下の態様を含み得る。
（態様１）
サンプル入口と、
前記サンプル入口と流体連通している流体チャネルであって、前記流体チャネルは少なくとも１ｃｍの長さであり、少なくとも５：１のチャネルの長さ：幅の比を有する流体チャネルと、
前記流体チャネルと流体連通している第１の溶解領域と、
第１の溶解領域と流体連通している第１の単離領域と、
前記第１の単離領域と流体連通している第２の溶解領域と、
前記第２の溶解領域と流体連通している第２の単離領域と、
前記第２の単離領域と流体連通している少なくとも１つの反応領域と、
前記反応領域の少なくとも１つと流体連通している増幅領域と、
各々が前記反応領域の少なくとも１つ及び／又は前記増幅領域と流体連通している、複数のプロセスチャンバと、を含む流体デバイス。
（態様２）
複数の流体リザーバであって、各流体リザーバは少なくとも０．１ｍＬの容量を有する、複数の流体リザーバと、
複数の気体チャンバであって、各気体チャンバは流体リザーバと流体連通し、各気体チャンバは少なくとも０．１ｍＬの容量を有する、複数の気体チャンバと、
複数の流体チャネルであって、各流体チャネルは１つ以上の流体リザーバ及び／又は１つ以上の気体チャンバと流体連通し、各流体チャネルは１０００μＬ未満の容量を有する、複数の流体チャネルと、を含み、
少なくとも１つの流体リザーバの長軸は、少なくとも１ｃｍの長さである少なくとも１つの流体チャネルの長軸と実質的に垂直である、流体デバイス。
（態様３）
少なくとも１ｃｍの長さであり、少なくとも５：１のチャネルの長さ：幅の比を有するハブチャネルを含む流体ハブと、
前記流体ハブから分岐している少なくとも１０個の分岐チャネルと、
各バルブが前記分岐チャネルと前記流体ハブとの間に配置されている、複数のバルブと、
各流体リザーバが分岐チャネルと接続している、複数の流体リザーバと、を含む流体デバイス。
（態様４）
少なくとも１ｃｍの長さであり、少なくとも５：１のチャネルの長さ：幅の比を有するハブチャネルを含む流体ハブと、
前記流体ハブから分岐している第１の分岐チャネルと、
前記第１の分岐チャネルと流体連通している第１の流体リザーバと、
前記第１の流体リザーバと流体連通している第１の気体チャンバと、
前記流体ハブから分岐している第２の分岐チャネルと、
前記第２の分岐チャネルと流体連通している第２の流体リザーバと、
前記第２の流体リザーバと流体連通している第２の気体チャンバと、を含む流体デバイス。
（態様５）
第１の流体リザーバと、
前記第１の流体リザーバと流体連通している第１のチャネルと、
前記第１のチャネルと結合している第１のバルブと、
第２の流体リザーバと、
前記第２の流体リザーバと流体連通している第２のチャネルと、
前記第２のチャネルと結合している第２のバルブと、
前記第１の流体リザーバと前記第２の流体リザーバとの間に配置される接続チャネルと、を含み、
前記接続チャネルの少なくとも一部は、前記第１の流体リザーバの断面積及び前記第２の流体リザーバの断面寸法よりも小さい断面積を有し、
前記接続チャネルは２５０ミクロン以上１０ｃｍ以下の長さである、流体デバイス。
（態様６）
チャネルと、
前記チャネルと接続している流体リザーバと、
前記流体リザーバと流体連通している出口チャネルと、
前記出口チャネルと結合しているバルブと、
前記流体リザーバに隣接したカバーであって、前記カバーは前記流体リザーバを包囲し、前記カバーは半透膜であり、前記半透膜は疎水性で、１ｐｓｉで０．４ｓｌｐｍ以上５ｓｌｐｍ以下の空気透過性を有する、カバーとを含む流体デバイス。
（態様７）
前記接続チャネルと結合している第３のバルブを含む、態様５に記載の流体デバイス。
（態様８）
前記第３のバルブは前記第１の流体リザーバに隣接して配置されている、態様７に記載の流体デバイス。
（態様９）
前記接続チャネルと結合している第４のバルブを含む、態様７に記載の流体デバイス。
（態様１０）
前記第４のバルブは、前記第２の流体リザーバに隣接して配置されている、態様９に記載の流体デバイス。
（態様１１）
各プロセスチャンバと流体連通している検出領域を含む、態様１に記載の流体デバイス。
（態様１２）
各流体リザーバは少なくとも０．１ｍＬの容量を有する、態様１〜１１のいずれかに記載の流体デバイス。
（態様１３）
各気体チャンバは流体リザーバと流体連通している、態様１〜１２のいずれかに記載の流体デバイス。
（態様１４）
各気体チャンバは少なくとも０．１ｍＬの容量を有する、態様１〜１３のいずれかに記載の流体デバイス。
（態様１５）
各流体チャネルは１つ以上の流体リザーバと流体連通している、態様１〜１４のいずれかに記載の流体デバイス。
（態様１６）
各流体チャネルは２０００μＬ未満の容量を有する、態様１〜１５のいずれかに記載の流体デバイス。
（態様１７）
少なくとも１つの流体リザーバの長軸は少なくとも１ｃｍの長さである少なくとも１つの流体チャネルの長軸と実質的に垂直である、態様１〜１６のいずれかに記載の流体デバイス。
（態様１８）
前記流体チャネルは少なくとも１ｃｍの長さである、態様１〜１７のいずれかに記載の流体デバイス。
（態様１９）
前記流体チャネルは少なくとも５：１のチャネルの長さ：幅の比を有する、態様１〜１８のいずれかに記載の流体デバイス。
（態様２０）
前記流体ハブから分岐している少なくとも１０個の分岐チャネルを含む、態様１〜１９のいずれかに記載の流体デバイス。
（態様２１）
複数のバルブを含み、各バルブは前記分岐チャネルと前記流体ハブとの間に配置されている、態様１〜２０のいずれかに記載の流体デバイス。
（態様２２）
複数の流体リザーバを含み、各流体リザーバは分岐チャネルに接合している、態様１〜２１のいずれかに記載の流体デバイス。
（態様２３）
前記半透膜は０．０２ミクロン以上０．５ミクロン以下の平均ポアサイズを有する、態様６に記載の流体デバイス。
（態様２４）
前記半透膜は２ｐｓｉ以上１２０ｐｓｉ以下の水侵入圧を有する、態様１〜２３のいずれかに記載の流体デバイス。
（態様２５）
前記半透膜は超疎水性である態様１〜２４のいずれかに記載の流体デバイス。
（態様２６）
前記半透膜はフッ化物材料を含む態様１〜２５のいずれかに記載の流体デバイス。
（態様２７）
前記半透膜はポリフッ化ビニリデンを含む態様１〜２６のいずれかに記載の流体デバイス。
（態様２８）
前記第１の流体リザーバは５００マイクロリットル以下の容量を有する、態様１〜２７のいずれかに記載の流体デバイス。
（態様２９）
前記第２の流体リザーバは５００マイクロリットル以下の容量を有する、態様１〜２８のいずれかに記載の流体デバイス。
（態様３０）
前記第１の流体は複数のビーズ及び／又は粒子を含む、態様１〜２９のいずれかに記載の流体デバイス。
（態様３１）        
前記接続チャネルは流体ハブと結合している、態様１〜３０のいずれかに記載の流体デバイス。
（態様３２）
前記第１の流体リザーバ及び／又は前記第２の流体リザーバは２ｍｍ以下の断面寸法を有する、態様１〜３１のいずれかに記載の流体デバイス。
（態様３３）
前記第１のチャネル及び／又は前記第２のチャネルは１ｍｍ以下の平均断面寸法を有する、態様１〜３２のいずれかに記載の流体デバイス。
（態様３４）
前記半透膜は５０ｐｓｉ以下の液体損失圧力を有するように構成され、配置されている、態様１〜３３のいずれかに記載の流体デバイス。
（態様３５）
前記流体リザーバは５００マイクロリットル以下の容量を有する、態様１〜３４のいずれかに記載の流体デバイス。
（態様３６）
前記半透膜は封止ガスケットを受け入れるように構成され、配置されている、態様１〜３５のいずれかに記載の流体デバイス。
（態様３７）
前記半透膜は疎水性である、態様１〜３６のいずれかに記載の流体デバイス。
（態様３８）
前記半透膜は１ｐｓｉで少なくとも０．４ｓｌｐｍの空気透過性を有する、態様１〜３７のいずれかに記載の流体デバイス。
（態様３９）
流体デバイス内で流体を輸送する方法であって、
流体リザーバと、前記流体リザーバと流体連通している気体チャンバと、前記流体リザーバと流体連通している流体チャネルとを含み、前記流体リザーバの長軸は前記流体チャネルの長軸と実質的に垂直である流体デバイス内において、
前記流体リザーバ内に第１の流体を導入する工程であって、前記第１の流体は液体である、導入する工程と、
前記気体チャンバ内に第２の流体を導入する工程であって、前記第２の流体は気体である、導入する工程と、
前記第２の流体が前記気体チャンバから前記流体リザーバに流れて、前記第１の流体を前記流体カラムから前記流体チャネルに押すように、前記第２の流体に圧力を印加する工程と、を行うことを含む方法。
（態様４０）
流体デバイス内で流体を輸送する方法であって、
少なくとも１ｃｍの長さと少なくとも５：１のチャネルの長さ：幅の比とを有するハブチャネルを含む流体ハブと、前記流体ハブから分岐している第１の分岐チャネルと、前記流体ハブから分岐している第２の分岐チャネルとを含む流体デバイス内において、
前記分岐チャネル内に第１の流体を導入する工程であって、前記第１の流体は液体である、導入する工程と、
前記第１の分岐チャネル内に第２の流体を導入する工程であって、前記第２の流体は気体である、導入する工程と
前記第１の分岐チャネルは前記流体ハブと流体連通し、前記第２の分岐チャネルは前記流体ハブと流体連通していないときに、前記第２の流体が前記第１の分岐チャネルから前記流体ハブに前記第１の流体を押すように前記第２の流体に圧力を印加する工程と、
前記流体ハブに前記第２の流体を導入する工程と、を行うことを含む方法。
（態様４１）
流体デバイス内で流体を輸送する方法であって、
少なくとも１ｃｍの長さと少なくとも５：１のチャネルの長さ：幅の比とを有するハブチャネルを含む流体ハブと、前記流体ハブから分岐している第１の分岐チャネルと、前記第１の分岐チャネルに接続している第１の流体リザーバと、前記流体ハブから分岐している第２の分岐チャネルと、前記第２の分岐チャネルに接続している第２の流体リザーバと、前記流体ハブから分岐している第３の分岐チャネルと、前記第２の分岐チャネルに接続している第３の流体リザーバと、を含む流体デバイス内において、
前記第１の流体リザーバから前記第１の分岐チャネルを介して前記流体ハブに少なくとも０．１ｍＬの容量を有する第１の流体を流す工程と、
前記流体ハブから前記第２の分岐チャネルを介して前記第２の流体リザーバに前記第１の流体を流す工程であって、前記第２の流体リザーバは試薬を含む、流す工程と、
反応流体を形成するように前記第１の流体を前記試薬と反応させる工程と、
前記第２の流体リザーバから前記流体ハブに前記反応流体を流す工程と、
前記流体ハブから前記第３の分岐チャネルを介して第３の流体リザーバに前記反応流体を流す工程と、を行うことを含む方法。
（態様４２）
流体を輸送する方法であって、
少なくとも１ｃｍの長さと少なくとも５：１のチャネルの長さ：幅の比とを有するハブチャネルを含む流体ハブと、前記流体ハブから分岐している第１の分岐チャネルと、前記第１の分岐チャネルに接続している第１の流体リザーバと、前記第１の流体リザーバと流体連通している第１の気体チャンバと、前記流体ハブから分岐している第２の分岐チャネルとを含む流体デバイス内において、
前記流体ハブから前記第１の分岐チャネルを介して前記第１の流体リザーバに少なくとも０．１ｍＬの容量を有する第１の流体を流す工程と、
前記第１の流体リザーバ内で反応流体を形成するように前記第１の流体と試薬を反応させる工程と、
前記反応流体が、前記流体ハブ及び前記第２の分岐チャネルに流れるように前記第１の気体チャンバに圧力を印加する工程と、を行うことを含む方法。
（態様４３）
流体デバイス内で流体を輸送する方法であって、
気体を含む流体リザーバと、前記流体リザーバと流体連通している出口チャネルと、前記出口チャネルと結合しているバルブと、前記流体リザーバに隣接しているカバーであって、前記カバーは前記流体リザーバを包囲し、前記カバーは半透膜である、カバーとを含む流体デバイス内において、
前記バルブを閉じる工程と、
前記流体リザーバに、第１の流体を導入する工程であって、前記第１の流体は液体である、導入する工程と、
前記流体リザーバ内に含まれる前記気体が前記半透膜を通過するようにさせる工程と、
前記第１の流体が前記半透膜を通過するのを実質的に防止する工程と、を行うことを含む方法。
（態様４４）
流体デバイス内で流体を混合する方法であって、
第１の流体リザーバと、第２の流体リザーバと、前記第１の流体リザーバと前記第２の流体リザーバとの間に配置される接続チャネルであって、前記接続チャネルの少なくとも一部は前記第１の流体リザーバの断面積及び前記第２の流体リザーバの断面寸法よりも小さい断面積を有する、接続チャネルと、を含む流体デバイス内において、
第１の方向において、前記第１の流体リザーバから前記接続チャネルを介して前記第２の流体リザーバに第１の流体を流す工程であって、前記第１の流体は液体である、流す工程と、
第２の方向において、前記第２の流体リザーバから前記接続チャネルを介して前記第１の流体リザーバに前記第１の流体を流す工程であって、前記第２の方向は前記第１の方向とは異なる、流す工程と、
前記第１の流体内で混合させる工程と、を行うことを含む方法。
（態様４５）
第２の流体を前記第１の流体リザーバに導入する工程であって、前記第２の流体は気体である、導入する工程と、
前記第２の流体が前記第１の流体リザーバから前記接続チャネルを通して、前記第２の流体リザーバに前記第１の流体を押すように、前記第２の流体に圧力を印加する工程と、
第３の流体を前記第２の流体リザーバに導入する工程であって、前記第３の流体は気体である、導入する工程と、
前記第３の流体が前記第２の流体リザーバから前記接続チャネルを通して前記第１の流体リザーバに前記第１の流体を押すように前記第３の流体に圧力を印加する工程と、を含む態様４４に記載の方法。
（態様４６）
前記接続チャネルは２５０ミクロン以上１０ｃｍ未満の長さである、態様３９〜４５のいずれかに記載の方法。
（態様４７）
前記接続チャネルは前記第１の流体リザーバ及び前記第２の流体リザーバの少なくとも１つの断面幅の５０％以下の断面幅を有する、態様３９〜４６のいずれかに記載の方法。
（態様４８）
各流体リザーバは少なくとも０．１ｍＬの容量を有する、態様３９〜４７のいずれかに記載の方法。
（態様４９）
各気体チャンバは流体リザーバと流体連通している、態様３９〜４８のいずれかに記載の方法。
（態様５０）
各気体チャンバは少なくとも０．１ｍＬの容量を有する、態様３９〜４９のいずれかに記載の方法。
（態様５１）
各流体チャネルは１つ以上の流体リザーバと流体連通している、態様３９〜５０のいずれかに記載の方法。
（態様５２）
各流体チャネルは２０００μＬ未満の容量を有する、態様３９〜５１のいずれかに記載の方法。
（態様５３）
少なくとも１つの流体リザーバの長軸は、少なくとも１ｃｍの長さである少なくとも１つの流体チャネルの長軸に実質的に垂直である、態様３９〜５２のいずれかに記載の方法。
（態様５４）
前記流体チャネルは少なくとも１ｃｍの長さを有する、態様３９〜５３のいずれかに記載の方法。
（態様５５）
前記流体チャネルは少なくとも５：１のチャネルの長さ：幅の比を有する、態様３９〜５４のいずれかに記載の方法。
（態様５６）
前記流体ハブから分岐している少なくとも１０個の分岐チャネルを含む、態様３９〜５５のいずれかに記載の方法。
（態様５７）
複数のバルブを含み、各バルブは、前記分岐チャネルと前記流体ハブとの間に配置されている、態様３９〜５６のいずれかに記載の方法。
（態様５８）
複数の流体リザーバを含み、各流体リザーバは分岐チャネルに接続している、態様３９〜５７のいずれかに記載の方法。
（態様５９）
少なくとも０．１ｍＬの容量を有する第１の流体を、前記流体チャネルを介して前記流体リザーバに流す工程を含む、態様３９〜５８のいずれかに記載の方法。
（態様６０）
前記第１の流体と前記試薬とを混合させるように前記流体リザーバ内で気体の流れ又は泡を導入する工程であって、前記気体は前記流体チャネルから輸送される、導入する工程を含む、態様３９〜５９のいずれかに記載の方法。
（態様６１）
前記流体リザーバから前記気体チャンバに前記気体を流す工程と、前記第１の流体及び／又は前記試薬が前記気体チャンバに流れるのを実質的に防止する工程とを含む、態様３９〜６０のいずれかに記載の方法。
（態様６２）
前記半透膜は０．０２ミクロン以上０．５ミクロン以下の平均ポアサイズを有する、態様４３に記載の方法。
（態様６３）
前記半透膜は２ｐｓｉ以上１２０ｐｓｉ以下の水侵入圧を有する、態様３９〜６２のいずれかに記載の方法。
（態様６４）
前記半透膜は超疎水性である、態様３９〜６３のいずれかに記載の方法。
（態様６５）
前記半透膜はフッ化物材料を含む、態様３９〜６４のいずれかに記載の方法。
（態様６６）
前記半透膜はポリフッ化ビニリデンを含む、態様３９〜６５のいずれかに記載の方法。
（態様６７）
前記第１の流体リザーバは５００マイクロリットル以下の容量を有する、態様３９〜６６のいずれかに記載の方法。
（態様６８）
前記第２の流体リザーバは５００マイクロリットル以下の容量を有する、態様３９〜６７のいずれかに記載の方法。
（態様６９）
前記印加された圧力は０．２ｐｓｉ以上５ｐｓｉ以下である、態様３９〜６８のいずれかに記載の方法。
（態様７０）
前記第１の流体は複数のビーズ及び／又は粒子を含む、態様３９〜６９のいずれかに記載の方法。
（態様７１）
前記接続チャネルは流体ハブと結合している、態様３９〜７０のいずれかに記載の方法。
（態様７２）
前記第１の流体リザーバ及び／又は前記第２の流体リザーバは２ｍｍ以下の断面寸法を有する、態様３９〜７１のいずれかに記載の方法。
（態様７３）
前記第１のチャネル及び／又は前記第２のチャネルは１ｍｍ以下の平均断面寸法を有する、態様３９〜７２のいずれかに記載の方法。
（態様７４）
前記半透膜は５０ｐｓｉ以下の液体損失圧力を有するように構成され、配置されている、態様３９〜７３のいずれかに記載の方法。
（態様７５）
前記流体リザーバは５００マイクロリットル以下の容量を有する、態様３９〜７４のいずれかに記載の方法。
（態様７６）
前記半透膜は封止ガスケットを受け入れるように構成され、配置されている、態様３９〜７５のいずれかに記載の方法。
（態様７７）
前記半透膜は疎水性である、態様３９〜７６のいずれかに記載の方法。
（態様７８）
前記半透膜は１ｐｓｉで少なくとも０．４ｓｌｐｍの空気透過性を有する、態様３９〜７７のいずれかに記載の方法。
（態様７９）
前記流体リザーバ内に含まれる前記気体が前記半透膜を通過するようにさせる工程は、前記第１の流体が前記気体を押すように、前記第１の流体に圧力を印加することを含む、態様３９〜７８のいずれかに記載の方法。
（態様８０）
前記第１の方向において、前記第１の流体リザーバから前記接続チャネルを介して前記第２の流体リザーバに前記第１の流体を流す前記工程の後、及び前記第２の方向において、前記第２の流体リザーバから前記接続チャネルを介して前記第１の流体リザーバに前記第１の流体を流す前記工程の後に、前記第１の方向において、前記第１の流体リザーバから前記接続チャネルを介して前記第２の流体リザーバに前記第１の流体を流す前記工程を行う、態様４４に記載の方法。